(57)【要約】【課題】ダイバーシティアンテナを送受共用のアンテナとして用いることができるダイバーシティスイッチ回路を提供する。【解決手段】ダイバーシティスイッチ回路１は、ダイバーシティアンテナＡＮＴに接続される第１共通端子１１、並びに、第１信号経路２００に接続される第１選択端子１２及び第１信号経路２００とは異なる経路である第２信号経路３００に接続される第２選択端子１４を有する第１スイッチ１０と、第１信号経路２００に設けられ、第１選択端子１２に接続される第２共通端子２１、及び、少なくとも２つの選択端子２２を有する第２スイッチ２０を備え、ダイバーシティアンテナＡＮＴが受信する受信信号は、第１共通端子１１と第１選択端子１２とが接続されるときに、第１信号経路２００に伝送され、ダイバーシティアンテナＡＮＴが送信する送信信号は、第１共通端子１１と第２選択端子１４とが接続されるときに、第２信号経路３００に伝送される。【選択図】図１
2018029328.tif 000002
【特許請求の範囲】
【請求項１】
ダイバーシティアンテナに接続される第１共通端子、並びに、第１信号経路に接続される第１選択端子及び前記第１信号経路とは異なる経路である第２信号経路に接続される第２選択端子を有する第１スイッチと、
前記第１信号経路に設けられ、前記第１選択端子に接続される第２共通端子、及び、少なくとも２つの選択端子を有する第２スイッチと、を備え、
前記ダイバーシティアンテナが受信する受信信号は、前記第１共通端子と前記第１選択端子とが接続されるときに、前記第１信号経路に伝送され、
前記ダイバーシティアンテナが送信する送信信号は、前記第１共通端子と前記第２選択端子とが接続されるときに、前記第２信号経路に伝送される
ダイバーシティスイッチ回路。
【請求項２】
前記第２スイッチが有する少なくとも２つの選択端子のうちの１つの選択端子には、終端抵抗が接続される
請求項１に記載のダイバーシティスイッチ回路。
【請求項３】
前記第１選択端子と前記第２共通端子との間に整合回路が接続される
請求項１又は２に記載のダイバーシティスイッチ回路。
【請求項４】
前記第２スイッチは、２以上の第２スイッチから構成され、
前記第１選択端子と前記２以上の第２スイッチがそれぞれ有する前記第２共通端子との間に、第１のマルチプレクサが接続される
請求項１〜３のいずれか１項に記載のダイバーシティスイッチ回路。
【請求項５】
前記第１スイッチは、さらに、前記第１信号経路に接続される第３選択端子を有し、
前記第１のマルチプレクサと前記第２共通端子との間に第３スイッチが接続され、
前記ダイバーシティアンテナが受信する受信信号は、前記第１共通端子と前記第３選択端子とが接続され、かつ前記第３スイッチがオフ状態にされるときに、前記第１のマルチプレクサを介さずに前記第１信号経路に伝送される
請求項４に記載のダイバーシティスイッチ回路。
【請求項６】
さらに、前記第２信号経路に設けられ、前記第２選択端子に接続される第３共通端子、及び、少なくとも２つの選択端子を有する第４スイッチを備える
請求項１〜５のいずれか１項に記載のダイバーシティスイッチ回路。
【請求項７】
前記第２選択端子と前記第３共通端子との間に整合回路が接続される
請求項６に記載のダイバーシティスイッチ回路。
【請求項８】
前記第４スイッチは、２以上の第４スイッチから構成され、
前記第２選択端子と前記２以上の第４スイッチがそれぞれ有する前記第３共通端子との間に、第２のマルチプレクサが接続される
請求項６又は７に記載のダイバーシティスイッチ回路。
【請求項９】
前記第１スイッチは、さらに、前記第２信号経路に接続される第４選択端子を有し、
前記第２のマルチプレクサと前記第３共通端子との間に第５スイッチが接続され、
前記ダイバーシティアンテナが送信する送信信号は、前記第１共通端子と前記第４選択端子とが接続され、かつ前記第５スイッチがオフ状態にされるときに、前記第２のマルチプレクサを介さずに前記第２信号経路に伝送される
請求項８に記載のダイバーシティスイッチ回路。
【請求項１０】
請求項１〜９のいずれか１項に記載のダイバーシティスイッチ回路と、
前記第２スイッチが有する少なくとも２つの選択端子に接続されるフィルタと、
前記フィルタに接続されるアンプ回路と、を備える
高周波モジュール。
【請求項１１】
前記受信信号及び前記送信信号を処理するＲＦ信号処理回路と、
前記ダイバーシティアンテナと前記ＲＦ信号処理回路との間で前記受信信号及び前記送信信号を送受信する請求項１０に記載の高周波モジュールと、を備える
通信装置。
【発明の詳細な説明】
【技術分野】
【０００１】
本発明は、ダイバーシティスイッチ回路、高周波モジュール及び通信装置に関する。
【背景技術】
【０００２】
従来、メインアンテナと、メインアンテナとは別に設けられたサブアンテナである、いわゆるダイバーシティアンテナとによって、信号を受信する際の通信の質及び信頼性の向上等がなされている。また、近年、携帯端末等の通信機器について、１つの端末で複数の周波数帯域及び複数の無線方式、いわゆる端末のマルチバンド化及びマルチモード化に対応することが要求されており、ダイバーシティアンテナが受信した受信信号を周波数帯域毎に分離（分波）するダイバーシティスイッチ回路が用いられている。具体的には、特許文献１において、図７に示されるような回路が用いられている。図７は、従来のダイバーシティスイッチ回路４００の一例を示す構成図である。
【０００３】
図７に示されるように、従来のダイバーシティスイッチ回路４００では、ダイバーシティアンテナＡＮＴに接続されたスイッチ４１０と、マルチバンドに対応するためのスイッチ回路４２０とが直列に接続されている。スイッチ回路４２０は、例えば、互いに周波数帯域の異なる複数の信号が伝送される信号経路に接続されたｎ個のスイッチとして、スイッチ４２３ａ、４２３ｂ、・・・、４２３ｎを有する。図７には示していないが、スイッチ４２３ａ、４２３ｂ、・・・、４２３ｎには、例えば、受信信号をフィルタリングするためのフィルタ又は受信信号を増幅するためのローノイズアンプ（ＬＮＡ）等が接続される。なお、スイッチ４１０およびスイッチ回路４２０は、例えば基地局とダイバーシティスイッチ回路４００が搭載された通信機器との距離が近い等により電力の大きい受信信号を受けることで、破損したり、性能が劣化したりすることがある。そこで、ダイバーシティアンテナＡＮＴが受信した信号の電力が大きい場合には、スイッチ４１０がオフされることで、これらの回路が電力の大きい受信信号を受けないようにする。
【先行技術文献】
【特許文献】
【０００４】
【特許文献１】特表２０１５−５１７７５３号公報
【発明の概要】
【発明が解決しようとする課題】
【０００５】
ところで、ダイバーシティアンテナは受信に用いられるアンテナであるが、マルチバンド化又は通信容量の増加に伴い、ダイバーシティアンテナを送信に用いることが必要になると考えられる。しかしながら、特許文献１に記載のダイバーシティスイッチ回路は、受信信号に関するマルチバンド化に対応した受信専用の回路であり送信信号には対応していないため、受信用のダイバーシティアンテナとは別に送信用のダイバーシティアンテナが必要になる。この場合、携帯端末等の通信機器が備えるアンテナの数が増えることになり、当該通信機器の筺体内でのアンテナスペースが増えてしまう。つまり、当該通信機器の小型化が難しくなる。
【０００６】
そこで、本発明は、ダイバーシティアンテナを送受共用のアンテナとして用いることができるダイバーシティスイッチ回路、高周波モジュール及び通信装置を提供することを目的とする。
【課題を解決するための手段】
【０００７】
上記目的を達成するために、本発明の一態様に係るダイバーシティスイッチ回路は、ダイバーシティアンテナに接続される第１共通端子、並びに、第１信号経路に接続される第１選択端子及び前記第１信号経路とは異なる経路である第２信号経路に接続される第２選択端子を有する第１スイッチと、前記第１信号経路に設けられ、前記第１選択端子に接続される第２共通端子、及び、少なくとも２つの選択端子を有する第２スイッチと、を備え、前記ダイバーシティアンテナが受信する受信信号は、前記第１共通端子と前記第１選択端子とが接続されるときに、前記第１信号経路に伝送され、前記ダイバーシティアンテナが送信する送信信号は、前記第１共通端子と前記第２選択端子とが接続されるときに、前記第２信号経路に伝送される。
【０００８】
これにより、第１共通端子と第１選択端子とが接続されるときには、１つのダイバーシティアンテナを受信用として用いることができ、当該１つのダイバーシティアンテナは、第２スイッチにおいて第２共通端子と少なくとも２つの選択端子のうちの特定の選択端子とが接続されることによって、所望の受信信号を受信する。特定の選択端子とは、所望の受信信号の周波数帯域に対応する通過帯域のフィルタ（例えば弾性波フィルタ等）が接続された選択端子のことである。また、第１共通端子と第２選択端子とが接続されるときには、第２信号経路に伝送される送信信号を当該１つのダイバーシティアンテナまで送ることができ、当該１つのダイバーシティアンテナを送信用としても用いることができる。このように、互いに異なる周波数帯域を有する受信信号を受信可能なダイバーシティスイッチ回路によって、ダイバーシティアンテナを送受共用のアンテナとして用いることができ、携帯端末等の通信機器の小型化が可能になる。
【０００９】
また、前記第２スイッチが有する少なくとも２つの選択端子のうちの１つの選択端子には、終端抵抗が接続されてもよい。
【００１０】
ダイバーシティアンテナは、送受共用のアンテナとして用いられるため、第１共通端子と第１選択端子とが接続されていない場合であっても、第２信号経路に伝送される電力の大きい送信信号が第２スイッチに漏れてくることがある。また、ダイバーシティアンテナが受信した信号の電力が大きい場合に、第１共通端子と第１選択端子とが接続されないときであっても、電力の大きい受信信号が第２スイッチ側に漏れてくることがある。これに対して、第２スイッチが有する少なくとも２つの選択端子のうちの１つの選択端子には、終端抵抗が接続される。これにより、ダイバーシティアンテナが送信用のアンテナとして用いられる場合、又は、ダイバーシティアンテナが受信した信号の電力が大きい場合等に、第２共通端子と終端抵抗が接続された選択端子とが接続されることで、電力の大きいこれらの信号のエネルギーを、終端抵抗によってグランドに逃がすことできる。したがって、第２スイッチに接続されるフィルタ又はＬＮＡ等の回路が、電力の大きい信号によって破損したり性能が劣化したりすることを抑制できる。
【００１１】
また、前記第１選択端子と前記第２共通端子との間に整合回路が接続されてもよい。
【００１２】
これにより、第１スイッチと第２スイッチとのインピーダンス整合がなされ、第１信号経路に伝送される信号に発生する損失（リターンロス）のレベルを抑制できる。
【００１３】
また、前記第２スイッチは、２以上の第２スイッチから構成され、前記第１選択端子と前記２以上の第２スイッチがそれぞれ有する前記第２共通端子との間に、第１のマルチプレクサが接続されてもよい。
【００１４】
これにより、例えばＬＢ（Ｌｏｗ  Ｂａｎｄ）、ＭＢ（Ｍｉｄｄｌｅ  Ｂａｎｄ）及びＨＢ（Ｈｉｇｈ  Ｂａｎｄ）のような、周波数帯域が互いに異なる複数の受信信号を同時に受信することができるため、キャリアアグリゲーション（ＣＡ）への対応が可能になる。
【００１５】
このとき、前記第１スイッチは、さらに、前記第１信号経路に接続される第３選択端子を有し、前記第１のマルチプレクサと前記第２共通端子との間に、第３スイッチが接続され、前記ダイバーシティアンテナが受信する受信信号は、前記第１共通端子と前記第３選択端子とが接続され、かつ前記第３スイッチがオフ状態にされるときに、前記第１のマルチプレクサを介さずに前記第１信号経路に伝送されてもよい。
【００１６】
第１共通端子と第３選択端子とが接続され、かつ第３スイッチがオフ状態にされることで、ダイバーシティアンテナが受信する受信信号を、第１のマルチプレクサを介さずに第１信号経路に伝送させることができる。したがって、ＣＡへの対応が必要な場合には第１共通端子と第１選択端子とが接続され、かつ前記第３スイッチがオン状態にされ、ＣＡへの対応が不要な場合には第１共通端子と第３選択端子とが接続され、かつ第３スイッチがオフ状態にされる。これにより、ＣＡへの対応が不要な場合には、第１のマルチプレクサによる挿入損失（受信信号に発生する損失）を抑制できる。
【００１７】
また、ダイバーシティスイッチ回路は、さらに、前記第２信号経路に設けられ、前記第２選択端子に接続される第３共通端子、及び、少なくとも２つの選択端子を有する第４スイッチを備えてもよい。
【００１８】
これにより、第４スイッチによって、互いに異なる周波数帯域の複数の送信信号を同時に送信することができる。
【００１９】
また、前記第２選択端子と前記第３共通端子との間に整合回路が接続されてもよい。
【００２０】
これにより、第１スイッチと第４スイッチとのインピーダンス整合がなされ、第２信号経路に伝送される信号に発生する損失（リターンロス）を抑制できる。
【００２１】
また、前記第４スイッチは、２以上の第４スイッチから構成され、前記第２選択端子と前記２以上の第４スイッチがそれぞれ有する前記第３共通端子との間に、第２のマルチプレクサが接続されてもよい。
【００２２】
これにより、例えばＬＢ、ＭＢ及びＨＢのような、周波数帯域が互いに異なる複数の送信信号を同時に送信することができるため、ＣＡへの対応が可能になる。
【００２３】
このとき、前記第１スイッチは、さらに、前記第２信号経路に接続される第４選択端子を有し、前記第２のマルチプレクサと前記第３共通端子との間に、第５スイッチが接続され、前記ダイバーシティアンテナが送信する送信信号は、前記第１共通端子と前記第４選択端子とが接続され、かつ、前記第５スイッチがオフ状態にされるときに、前記第２のマルチプレクサを介さずに前記第２信号経路に伝送されてもよい。
【００２４】
第１共通端子と第４選択端子とが接続され、かつ第５スイッチがオフ状態にされることで、第２信号経路に伝送される送信信号を、第２のマルチプレクサを介さずにダイバーシティアンテナに送ることができる。したがって、ＣＡへの対応が必要な場合には第１共通端子と第２選択端子とが接続され、かつ第５スイッチがオン状態にされ、ＣＡへの対応が不要な場合には第１共通端子と第４選択端子とが接続され、かつ第５スイッチがオフ状態にされる。これにより、ＣＡへの対応が不要な場合には、第２のマルチプレクサによる挿入損失（送信信号に発生する損失）を抑制できる。
【００２５】
また、本発明の一態様に係る高周波モジュールは、上記のダイバーシティスイッチ回路と、前記第２スイッチが有する少なくとも２つの選択端子または前記第４スイッチが有する少なくとも２つの選択端子に接続されるフィルタと、前記フィルタに接続されるアンプ回路と、を備える。
【００２６】
これにより、ダイバーシティアンテナを送受共用のアンテナとして用いることができる高周波モジュールを提供できる。
【００２７】
また、本発明の一態様に係る通信装置は、前記受信信号及び前記送信信号を処理するＲＦ信号処理回路と、前記ダイバーシティアンテナと前記ＲＦ信号処理回路との間で前記受信信号及び前記送信信号を送受信する上記の高周波モジュールと、を備える。
【００２８】
これにより、ダイバーシティアンテナを送受共用のアンテナとして用いることができる通信装置を提供できる。
【発明の効果】
【００２９】
本発明に係るダイバーシティスイッチ回路、高周波モジュール及び通信装置によれば、ダイバーシティアンテナを送受共用のアンテナとして用いることができる。
【図面の簡単な説明】
【００３０】
【図１】実施の形態１に係るダイバーシティスイッチ回路の一例を示す構成図である。
【図２】実施の形態２に係るダイバーシティスイッチ回路の一例を示す構成図である。
【図３】実施の形態３に係るダイバーシティスイッチ回路の一例を示す構成図である。
【図４】実施の形態４に係るダイバーシティスイッチ回路の一例を示す構成図である。
【図５】実施の形態５に係るダイバーシティスイッチ回路の一例を示す構成図である。
【図６】実施の形態６に係る通信装置の一例を示す構成図である。
【図７】従来のダイバーシティスイッチ回路の一例を示す構成図である。
【発明を実施するための形態】
【００３１】
以下、本発明の実施の形態について、実施の形態及びその図面を用いて詳細に説明する。なお、以下で説明する実施の形態は、いずれも包括的又は具体的な例を示すものである。以下の実施の形態で示される数値、構成要素、構成要素の配置及び接続形態などは、一例であり、本発明を限定する主旨ではない。以下の実施の形態における構成要素のうち、独立請求項に記載されていない構成要素については、任意の構成要素として説明される。また、各図は、模式図であり、必ずしも厳密に図示されたものではない。また、各図において、同じ構成要素については同じ符号を付している。
【００３２】
（実施の形態１）
実施の形態１に係るダイバーシティスイッチ回路１について図１を用いて説明する。
【００３３】
図１は、実施の形態１に係るダイバーシティスイッチ回路１の一例を示す構成図である。
【００３４】
ダイバーシティスイッチ回路１は、互いに異なる周波数帯域を有する受信信号を受信可能な回路である。また、本実施の形態では、ダイバーシティスイッチ回路１により、互いに異なる周波数帯域の複数の送信信号を同時に送信することもできる。ダイバーシティアンテナＡＮＴは、メインアンテナとは別に設けられたサブアンテナであり、通信の質及び信頼性を向上するために用いられる。一般的に、ダイバーシティアンテナは、受信用アンテナとして用いられるが、本発明では、送受共用のアンテナとして用いることができる。
【００３５】
ダイバーシティスイッチ回路１は、第１スイッチ１０、第２スイッチ２０及び第４スイッチ３０を備える。
【００３６】
第１スイッチ１０は、ダイバーシティアンテナＡＮＴに接続される第１共通端子１１、並びに、第１信号経路２００に接続される第１選択端子１２及び第１信号経路２００とは異なる経路である第２信号経路３００に接続される第２選択端子１４を有する。本実施の形態では、第１スイッチ１０は、第１共通端子１１ａ及び第１共通端子１１ｂを有し、これらを総称して第１共通端子１１と呼んでいる。第１スイッチ１０は、スイッチ１３及びスイッチ１５を有し、スイッチ１３がオンされることで第１共通端子１１ａと第１選択端子１２とが接続され、スイッチ１５がオンされることで第１共通端子１１ｂと第２選択端子１４とが接続される。例えば、スイッチ１３がオンされているときには、スイッチ１５はオフされ、スイッチ１５がオンされているときには、スイッチ１３はオフされるが、スイッチ１３及びスイッチ１５が両方ともオンされている期間があってもよい。
【００３７】
例えば、スイッチ１３及びスイッチ１５は、ダイオード又は電界効果トランジスタ等を用いた半導体スイッチであり、第１スイッチ１０の外部（例えば後述するＲＦ信号処理回路（ＲＦＩＣ：Ｒａｄｉｏ  Ｆｒｅｑｕｅｎｃｙ  Ｉｎｔｅｇｒａｔｅｄ  Ｃｉｒｃｕｉｔ）１２０）からの制御信号によりオンオフされる。なお、第１共通端子１１ａ及び第１共通端子１１ｂは、それぞれを一体化した１つの端子であってもよい。この場合には、第１スイッチ１０は、スイッチ１３及びスイッチ１５の代わりに、一体化された１つの第１共通端子１１と第１選択端子１２及び第２選択端子１４との接続を切り替えるスイッチを有する。ただし、この場合でも、当該１つの第１共通端子１１と第１選択端子１２との接続、及び、当該１つの第１共通端子１１と第２選択端子１４との接続が同時にされてもよい。
【００３８】
第２スイッチ２０は、第１選択端子１２に接続される第２共通端子２１、及び、少なくとも２つの選択端子２２を有する。第２スイッチ２０の第２共通端子２１は、第１スイッチ１０の第１選択端子１２に接続されている。なお、「第２スイッチ２０の第２共通端子２１は、第１スイッチ１０の第１選択端子１２に接続されている」とは、第２共通端子２１が他の回路（例えば後述する整合回路５０又はマルチプレクサ６０等）を介して第１選択端子１２に接続されている場合も含む。第２スイッチ２０は、スイッチ２３を有し、スイッチ２３がオンされることで第２共通端子２１と選択端子２２とが接続される。本実施の形態では、第２スイッチ２０は、ｎ個の共通端子として、第２共通端子２１ａ、２１ｂ、・・・、２１ｎを有し、これらを総称して第２共通端子２１と呼び、ｎ個の選択端子として、選択端子２２ａ、２２ｂ、・・・、２２ｎを有し、これらを総称して選択端子２２と呼んでいる。また、本実施の形態では、第２スイッチ２０は、ｎ個のスイッチとして、スイッチ２３ａ、２３ｂ、・・・、２３ｎを有し、これらを総称してスイッチ２３と呼んでいる。例えば、スイッチ２３ｎがオンされることで、第２共通端子２１ｎと選択端子２２ｎとが接続される。
【００３９】
例えば、スイッチ２３は、ダイオード又は電界効果トランジスタ等を用いた半導体スイッチであり、第２スイッチ２０の外部（例えば後述するＲＦ信号処理回路１２０）からの制御信号によりオンオフされる。なお、第２共通端子２１ａ、２１ｂ、・・・、２１ｎは、それぞれを一体化した１つの端子であってもよい。この場合には、第２スイッチ２０は、スイッチ２３ａ、２３ｂ、・・・、２３ｎの代わりに、一体化された１つの第２共通端子２１と選択端子２２ａ、２２ｂ、・・・、２２ｎとの接続を切り替えるスイッチを有する。ただし、この場合でも、当該１つの第２共通端子２１と選択端子２２ａ、２２ｂ、・・・、２２ｎのうちの２つ以上の選択端子との接続が同時にされてもよい。
【００４０】
また、第２スイッチ２０は、第１信号経路２００に設けられる。第２スイッチ２０が第１信号経路２００に設けられるとは、第１選択端子１２に接続される経路上に第２スイッチ２０が設けられることを意味する。例えば、第２共通端子２１ｎと選択端子２２ｎとが接続された場合、信号は第１信号経路２００として第１選択端子１２、第２共通端子２１ｎ及び選択端子２２ｎを繋いだ経路を通過する。
【００４１】
第４スイッチ３０は、第２選択端子１４に接続される第３共通端子３１、及び、少なくとも２つの選択端子３２を有する。第４スイッチ３０の第３共通端子３１は、第１スイッチ１０の第２選択端子１４に接続されている。なお、「第４スイッチ３０の第３共通端子３１は、第１スイッチ１０の第２選択端子１４に接続されている」とは、第３共通端子３１が他の回路を介して第２選択端子１４に接続されている場合も含む。第４スイッチ３０は、スイッチ３３を有し、スイッチ３３がオンされることで第３共通端子３１と選択端子３２とが接続される。本実施の形態では、第４スイッチ３０は、ｎ個の共通端子として、第３共通端子３１ａ、３１ｂ、・・・、３１ｎを有し、これらを総称して第３共通端子３１と呼び、ｎ個の選択端子として、選択端子３２ａ、３２ｂ、・・・、３２ｎを有し、これらを総称して選択端子３２と呼んでいる。また、本実施の形態では、第４スイッチ３０は、ｎ個のスイッチとして、スイッチ３３ａ、３３ｂ、・・・、３３ｎを有し、これらを総称してスイッチ３３と呼んでいる。例えば、スイッチ３３ｎがオンされることで、第３共通端子３１ｎと選択端子３２ｎとが接続される。例えば、スイッチ３３は、ダイオード又は電界効果トランジスタ等を用いた半導体スイッチであり、第４スイッチ３０の外部（例えば後述するＲＦ信号処理回路１２０）からの制御信号によりオンオフされる。なお、第３共通端子３１ａ、３１ｂ、・・・、３１ｎは、それぞれを一体化した１つの端子であってもよい。この場合には、第４スイッチ３０は、スイッチ３３ａ、３３ｂ、・・・、３３ｎの代わりに、一体化された１つの第３共通端子３１と選択端子３２ａ、３２ｂ、・・・、３２ｎとの接続を切り替えるスイッチを有する。ただし、この場合でも、当該１つの第３共通端子３１と選択端子３２ａ、３２ｂ、・・・、３２ｎのうちの２つ以上の選択端子との接続が同時にされてもよい。
【００４２】
また、第４スイッチ３０は、第２信号経路３００に設けられる。第４スイッチ３０が第２信号経路３００に設けられるとは、第２選択端子１４に接続される経路上に第４スイッチ３０が設けられることを意味する。例えば、第３共通端子３１ｎと選択端子３２ｎとが接続された場合、信号は第２信号経路３００として第２選択端子１４、第３共通端子３１ｎ及び選択端子３２ｎを繋いだ経路を通過する。
【００４３】
ダイバーシティアンテナＡＮＴが受信した受信信号は、第１共通端子１１ａと第１選択端子１２とが接続された場合、第１信号経路２００に伝送される。つまり、第１信号経路２００は、ダイバーシティアンテナＡＮＴが受信する受信信号が伝送される経路となる。したがって、第２スイッチ２０の選択端子２２には、受信用のフィルタ（弾性波共振子又はＬＣ回路等により構成されるフィルタ）又はＬＮＡ等のアンプ回路が接続される。選択端子２２ａ、２２ｂ、・・・、２２ｎにはそれぞれ、例えば、互いに通過帯域の異なるフィルタが接続されるため、第２スイッチ２０により、ダイバーシティスイッチ回路１は、互いに異なる周波数帯域を有する受信信号を受信できるようになる。
【００４４】
また、ダイバーシティアンテナＡＮＴが送信する送信信号は、第１共通端子１１ｂと第２選択端子１４とが接続された場合、第２信号経路３００に伝送される。つまり、第２信号経路３００は、ダイバーシティアンテナＡＮＴが送信する送信信号が伝送される経路となる。したがって、第４スイッチ３０の選択端子３２には、送信用のフィルタ（弾性波共振子又はＬＣ回路等により構成されるフィルタ）又はパワーアンプ（ＰＡ）等のアンプ回路等が接続される。選択端子３２ａ、３２ｂ、・・・、３２ｎにはそれぞれ、例えば、互いに通過帯域の異なるフィルタが接続され、第４スイッチ３０を介して、互いに異なる周波数帯域の複数の送信信号が同時に送信される。つまり、互いに異なる周波数帯域の複数の送信信号のうちから第４スイッチ３０によって選択された送信信号をダイバーシティアンテナＡＮＴから送信することができる。このように、第１スイッチ１０は第２選択端子１４を有しているため、第１共通端子１１ｂと第２選択端子１４とが接続されるときには、第２信号経路３００に伝送される送信信号をダイバーシティアンテナＡＮＴまで送ることができ、ダイバーシティアンテナＡＮＴを送信用としても用いることができる。
【００４５】
なお、図１に示されるように、第１信号経路２００と第２信号経路３００とは、互いに異なる経路である。このとき、第１信号経路２００とダイバーシティアンテナＡＮＴとを繋ぐ経路と、第２信号経路３００とダイバーシティアンテナＡＮＴとを繋ぐ経路とは、第１スイッチ１０のスイッチ１３及びスイッチ１５よりもダイバーシティアンテナＡＮＴ側で分岐されている。したがって、第２信号経路３００とダイバーシティアンテナＡＮＴとを繋ぐ経路にはスイッチ１３が設けられないため、第２信号経路３００に伝送される送信信号にスイッチ１３による損失が発生しにくくなる。ここで、第１信号経路２００と第２信号経路３００とが互いに異なる経路であるとは、例えば、選択端子２２に接続される経路（ダイバーシティアンテナＡＮＴから見て、第２スイッチ２０のダイバーシティアンテナＡＮＴとは反対側の経路：図１において第２スイッチ２０の右側に接続される経路）と選択端子３２に接続される経路（ダイバーシティアンテナＡＮＴから見て、第４スイッチ３０のダイバーシティアンテナＡＮＴとは反対側の経路：図１において第４スイッチ３０の右側に接続される経路）とが、後段においてスイッチ回路等の回路でまとめられない（共通化されない）ことを意味する。例えば、選択端子２２に接続される経路と選択端子３２に接続される経路とが、後段において複数入力から１つを選択して出力するスイッチでまとめられている（共通化されている）場合は、第１信号経路２００と第２信号経路３００とは互いに異なる経路ではないとする。一方、例えば、選択端子２２に接続される経路と選択端子３２に接続される経路とがそれぞれ、共通のグランドに接続される場合、又は、１つのＲＦ信号処理回路の互いに異なる端子に接続される場合等は、第１信号経路２００と第２信号経路３００とは互いに異なる経路であるとする。
【００４６】
以上のように、互いに異なる周波数帯域を有する受信信号を受信することができ、かつ、互いに異なる周波数帯域の複数の送信信号を同時に送信することができるダイバーシティスイッチ回路１によって、ダイバーシティアンテナＡＮＴを送受共用のアンテナとして用いることができる。
【００４７】
（実施の形態２）
次に、実施の形態２に係るダイバーシティスイッチ回路１ａについて図２を用いて説明する。
【００４８】
図２は、実施の形態２に係るダイバーシティスイッチ回路１ａの一例を示す構成図である。
【００４９】
実施の形態２に係るダイバーシティスイッチ回路１ａは、第２スイッチ２０の代わりに第２スイッチ４０を備える点が、実施の形態１に係るダイバーシティスイッチ回路１と異なる。その他の構成は、実施の形態１におけるものと同じであるため、説明は省略する。また、第２スイッチ４０は、終端抵抗４１を備える点が実施の形態１に係る第２スイッチ２０と異なる。その他の構成は、実施の形態１におけるものと同じであるため、説明は省略する。
【００５０】
第２スイッチ４０が有する少なくとも２つの選択端子２２のうちの１つの選択端子２２には、終端抵抗４１が接続される。終端抵抗４１は、一端が選択端子２２に接続され、他端がグランドに接続される抵抗である。終端抵抗４１は、第２スイッチ４０に入力される信号のエネルギーをグランドに逃がすための抵抗であり、抵抗値は例えば５０Ωである。終端抵抗４１は、例えば第２スイッチ４０に内蔵される。本実施の形態では、図２に示されるように、選択端子２２ｎに終端抵抗４１が接続される。
【００５１】
ダイバーシティアンテナＡＮＴは、送受共用のアンテナとして用いられるため、第１共通端子１１と第１選択端子１２とが接続されていない場合であっても、第２信号経路３００に伝送される電力の大きい送信信号が第２スイッチ４０に漏れてくることがある。また、ダイバーシティアンテナＡＮＴが受信した信号の電力が大きい場合に、第１共通端子１１と第１選択端子１２とが接続されないときであっても、電力の大きい受信信号が第２スイッチ４０に漏れてくることがある。例えば、第２スイッチ４０には受信信号をフィルタリングするためのフィルタ又は受信信号を増幅するためのＬＮＡ等が接続されるが、これらの回路は、電力の大きい信号を受けることで、破損したり、性能が劣化したりすることがある。これに対して、第２スイッチ４０が有する少なくとも２つの選択端子２２のうちの例えば１つの選択端子２２には、終端抵抗４１が接続される。これにより、ダイバーシティアンテナＡＮＴが送信用のアンテナとして用いられる場合、又は、ダイバーシティアンテナＡＮＴが受信した信号の電力が大きい場合等に、第２共通端子２１と終端抵抗４１が接続された選択端子２２とが接続されることで、電力の大きいこれらの信号のエネルギーを、終端抵抗４１によってグランドに逃がすことできる。したがって、第２スイッチ４０に接続される例えばフィルタ又はＬＮＡ等の回路が、破損したり性能が劣化したりすることを抑制できる。
【００５２】
（実施の形態３）
次に、実施の形態３に係るダイバーシティスイッチ回路１ｂについて図３を用いて説明する。
【００５３】
図３は、実施の形態３に係るダイバーシティスイッチ回路１ｂの一例を示す構成図である。
【００５４】
実施の形態３に係るダイバーシティスイッチ回路１ｂは、整合回路５０を備える点が、実施の形態２に係るダイバーシティスイッチ回路１ａと異なる。その他の構成は、実施の形態２におけるものと同じであるため、説明は省略する。本実施の形態では、ダイバーシティスイッチ回路１ｂは、整合回路５０ａ及び整合回路５０ｂを備え、整合回路５０ａ及び整合回路５０ｂを総称して整合回路５０と呼んでいる。
【００５５】
第１選択端子１２と第２共通端子２１との間に整合回路５０ａが接続される。また、第２選択端子１４と第３共通端子３１との間に整合回路５０ｂが接続される。整合回路５０は、コンデンサ又はインダクタ等の素子により構成されるインピーダンス整合回路である。これにより、第１スイッチ１０と第２スイッチ４０とのインピーダンス整合及び第１スイッチと第４スイッチ３０とのインピーダンス整合がなされ、第１信号経路２００及び第２信号経路３００に伝送される信号に発生する損失（リターンロス）のレベルを抑制できる。
【００５６】
なお、上述したように、第２スイッチ４０が有する少なくとも２つの選択端子２２には、それぞれ互いに通過帯域の異なるフィルタが接続される。つまり、オンされるスイッチ２３に応じて、整合回路５０ａがインピーダンス整合をするべき周波数帯域が異なる。例えば、整合回路５０ａは、第２スイッチ４０においてオンされるスイッチ２３を想定して、インピーダンス整合するべき周波数帯域に対応するように予め調整された整合回路である。また、例えば、整合回路５０ａの整合のためのパラメータが可変である場合、第２スイッチ４０が受けるスイッチ２３をオンオフするための制御信号を、整合回路５０ａも受ける。つまり、整合回路５０ａは、第２スイッチ４０においてオンされるスイッチ２３を認識でき、言い換えると、インピーダンス整合するべき周波数帯域を認識できる。また、整合回路５０ａは、それぞれインダクタ及びコンデンサ等のパラメータ又は接続形態等が互いに異なる複数の回路を有する。当該複数の回路はそれぞれ、互いに異なる周波数帯域におけるインピーダンス整合をするように、インダクタ及びコンデンサ等のパラメータ又は接続形態等が調整された回路であるとする。さらに、整合回路５０ａは、当該複数の回路のうちから第１スイッチ１０と第２スイッチ４０との間に接続する回路を、整合回路５０ａが受ける制御信号に応じて切り替えるスイッチを有する。これにより、整合回路５０ａは、第２スイッチ４０においてオンされるスイッチ２３に対応する周波数帯域毎にインピーダンス整合をすることができる。
【００５７】
同様に、第４スイッチ３０が有する少なくとも２つの選択端子３２には、それぞれ互いに通過帯域の異なるフィルタが接続される。つまり、オンされるスイッチ３３に応じて、整合回路５０ｂがインピーダンス整合をするべき周波数帯域が異なる。例えば、整合回路５０ｂは、第４スイッチ３０においてオンされるスイッチ３３を想定して、インピーダンス整合するべき周波数帯域に対応するように予め調整された整合回路である。また、例えば、整合回路５０ｂの整合のためのパラメータが可変である場合、第４スイッチ３０が受けるスイッチ３３をオンオフするための制御信号を、整合回路５０ｂも受ける。つまり、整合回路５０ｂは、第４スイッチ３０においてオンされるスイッチ３３を認識でき、言い換えると、インピーダンス整合するべき周波数帯域を認識できる。また、整合回路５０ｂは、それぞれインダクタ及びコンデンサ等のパラメータ又は接続形態等が互いに異なる複数の回路を有する。当該複数の回路はそれぞれ、互いに異なる周波数帯域におけるインピーダンス整合をするように、インダクタ及びコンデンサ等のパラメータ又は接続形態等が調整された回路であるとする。さらに、整合回路５０ｂは、当該複数の回路のうちから第１スイッチ１０と第４スイッチ３０との間に接続する回路を、整合回路５０ｂが受ける制御信号に応じて切り替えるスイッチを有する。これにより、整合回路５０ｂは、第４スイッチ３０においてオンされるスイッチ３３に対応する周波数帯域毎にインピーダンス整合をすることができる。
【００５８】
このように、整合回路５０のインピーダンス整合用のパラメータを、インピーダンス整合するべき周波数帯域に対応するように予め調整したり、第２スイッチ４０又は第４スイッチ３０が受けるスイッチ２３又は３３をオンオフするための制御信号に応じて変化させたりすることで、周波数帯域毎に最適なインピーダンス整合をすることができる。
【００５９】
（実施の形態４）
次に、実施の形態４に係るダイバーシティスイッチ回路１ｃについて図４を用いて説明する。
【００６０】
図４は、実施の形態４に係るダイバーシティスイッチ回路１ｃの一例を示す構成図である。
【００６１】
実施の形態４に係るダイバーシティスイッチ回路１ｃは、マルチプレクサ６０を備え、第２スイッチ４０が２以上の第２スイッチ４０から構成され、第４スイッチ３０が２以上の第４スイッチ３０から構成される点が、実施の形態２に係るダイバーシティスイッチ回路１ａと異なる。その他の構成は、実施の形態２におけるものと同じであるため、説明は省略する。本実施の形態では、ダイバーシティスイッチ回路１ｃは、第１のマルチプレクサ６０ａ及び第２のマルチプレクサ６０ｂを備え、これらを総称してマルチプレクサ６０と呼んでいる。また、ダイバーシティスイッチ回路１ｂは、第２スイッチ４０ａ及び第２スイッチ４０ｂを備え、これらを総称して第２スイッチ４０と呼び、第４スイッチ３０ａ及び第４スイッチ３０ｂを備え、これらを総称して第４スイッチ３０と呼んでいる。
【００６２】
第１選択端子１２と２以上の第２スイッチ４０がそれぞれ有する第２共通端子２１との間に、第１のマルチプレクサ６０ａが接続される。また、第２選択端子１４と２以上の第４スイッチ３０がそれぞれ有する第３共通端子３１との間に、第２のマルチプレクサ６０ｂが接続される。マルチプレクサ６０は、例えば、周波数分割複信（ＦＤＤ）方式を用いた通信において、１つの信号を互いに異なる周波数帯域の複数の信号に分けたり、互いに異なる周波数帯域の複数の信号を１つの信号にまとめたりするフィルタである。本実施の形態では、マルチプレクサ６０は、デュプレクサであるが、トリプレクサ又はクワッドプレクサ等であってもよい。
【００６３】
これにより、第１のマルチプレクサ６０ａによって、例えばＬＢ、ＭＢ及びＨＢのような、周波数帯域が互いに異なる複数の受信信号を同時に受信することができるため、ＣＡへの対応が可能になる。例えば、ＬＢは、約７００〜９００ＭＨｚ帯、ＭＢは、約１８００〜２２００ＭＨｚ帯、ＨＢは、約２３００〜２７００ＭＨｚ帯である。さらに、第２のマルチプレクサ６０ｂによって、例えばＬＢ、ＭＢ及びＨＢのような、周波数帯域が互いに異なる複数の送信信号を同時に送信することができるため、ＣＡへの対応が可能になる。
【００６４】
マルチプレクサ６０は、弾性波共振子、ＬＣ回路、およびその両方等により構成されるフィルタから構成されてもよい。弾性波共振子は、ＳＡＷ（Ｓｕｒｆａｃｅ  Ａｃｃｏｕｓｔｉｃ  Ｗａｖｅ）共振子やＢＡＷ（Ｂｕｌｋ  Ａｃｃｏｕｓｔｉｃ  Ｗａｖｅ）共振子であってもよい。弾性波共振子は、ＳＡＷ共振子の場合、基板とＩＤＴ（Ｉｎｔｅｒｄｉｇｉｔａｌ  ｔｒａｎｓｄｕｃｅｒ）電極とを備えている。基板は、少なくとも表面に圧電性を有する基板である。例えば、表面に圧電薄膜を備え、当該圧電薄膜と音速の異なる膜、および支持基板などの積層体で構成されていてもよい。また、基板は、基板全体に圧電性を有していても良い。この場合、基板は、圧電体層一層からなる圧電基板である。
【００６５】
例えばマルチプレクサ６０を構成するフィルタは、バンドパスフィルタであってもよい。なお、マルチプレクサ６０を構成するフィルタは、バンドパスフィルタに限らず、ハイパスフィルタ、ローパスフィルタ、バンドエリミネーションフィルタ等であってもよい。
【００６６】
（実施の形態５）
次に、実施の形態５に係るダイバーシティスイッチ回路１ｄについて図５を用いて説明する。
【００６７】
図５は、実施の形態５に係るダイバーシティスイッチ回路１ｄの一例を示す構成図である。
【００６８】
実施の形態５に係るダイバーシティスイッチ回路１ｄは、第１スイッチ１０の代わりに第１スイッチ１００を備え、第１のマルチプレクサ６０ａと第２スイッチ４０との間に第３スイッチ６５を備え、第２のマルチプレクサ６０ｂと第４スイッチ３０との間に第５スイッチ６６を備える点が、実施の形態４に係るダイバーシティスイッチ回路１ｃと異なる。また、第１スイッチ１００と第１信号経路２００とが複数の経路で接続される。また、第１スイッチ１００と第２信号経路３００とが複数の経路で接続される。その他の構成は、実施の形態４におけるものと同じであるため、説明は省略する。
【００６９】
第１スイッチ１００は、ダイバーシティアンテナＡＮＴに接続される第１共通端子１１、第１信号経路２００に接続される第１選択端子１２及び第３選択端子１６、並びに、第２信号経路３００に接続される第２選択端子１４及び第４選択端子１８を有する。なお、第３選択端子１６と第１信号経路２００とを接続する経路を第１バイパス経路と呼ぶ。また、第４選択端子１８と第２信号経路３００とを接続する経路を第２バイパス経路と呼ぶ。また、第１スイッチ１００は、スイッチ１３、スイッチ１５、スイッチ１７及びスイッチ１９を有する。本実施の形態では、第１スイッチ１００は、第１共通端子１１ａ〜１１ｆを有し、これらを総称して第１共通端子１１と呼んでいる。また、第１スイッチ１００は、第３選択端子１６ａ及び第３選択端子１６ｂを有し、これらを総称して第３選択端子１６と呼び、第４選択端子１８ａ及び第４選択端子１８ｂを有し、これらを総称して第４選択端子１８と呼んでいる。また、第１スイッチ１００は、スイッチ１７ａ及びスイッチ１７ｂを有し、これらを総称してスイッチ１７と呼び、スイッチ１９ａ及びスイッチ１９ｂを有し、これらを総称してスイッチ１９と呼んでいる。
【００７０】
また、第１のマルチプレクサ６０ａと第２スイッチ４０ａがそれぞれ有する第２共通端子２１との間に第３スイッチ６５ａが接続される。具体的には、ダイバーシティスイッチ回路１ｄは、図５に示されるように、第３選択端子１６ａに接続される経路と第１のマルチプレクサ６０ａ及び第２スイッチ４０ａを繋ぐ経路との接続点よりも接続点から見て第１のマルチプレクサ６０ａ側に第３スイッチ６５ａを備える。同様に、ダイバーシティスイッチ回路１ｄは、第１のマルチプレクサ６０ａと第２スイッチ４０ｂとの間に第３スイッチ６５ｂを備える。
【００７１】
また、第２のマルチプレクサ６０ｂと第４スイッチ３０ａがそれぞれ有する第３共通端子３１との間に第５スイッチ６６ａが接続される。具体的には、ダイバーシティスイッチ回路１ｄは、図５に示されるように、第４選択端子１８ａに接続される経路と第２のマルチプレクサ６０ｂ及び第４スイッチ３０ａを繋ぐ経路との接続点よりも接続点から見て第２のマルチプレクサ６０ｂ側に第５スイッチ６６ａを備える。同様に、ダイバーシティスイッチ回路１ｄは、第２のマルチプレクサ６０ｂと第４スイッチ３０ｂとの間に第５スイッチ６６ｂを備える。本実施の形態では、第３スイッチ６５ａ及び第３スイッチ６５ｂを総称して第３スイッチ６５と呼び、第５スイッチ６６ａ及び第５スイッチ６６ｂを総称して第５スイッチ６６と呼んでいる。
【００７２】
スイッチ１３、第３スイッチ６５ａ及び第３スイッチ６５ｂがオン状態にされる（オンされる）ことで、ダイバーシティアンテナＡＮＴが受信した信号が第１のマルチプレクサ６０ａを介して第１信号経路２００に伝送される。スイッチ１５、第５スイッチ６６ａ及び第５スイッチ６６ｂがオンされることで、第２信号経路３００に伝送される信号が、第２のマルチプレクサ６０ｂを介してダイバーシティアンテナＡＮＴに送られる。一方、スイッチ１７ａがオンされることで第１共通端子１１ｃと第３選択端子１６ａとが接続され、かつ第３スイッチ６５ａがオフ状態にされる（オフされる）ときに、ダイバーシティアンテナＡＮＴが受信した信号が第１のマルチプレクサ６０ａを介さずに第１信号経路２００に伝送される。また、スイッチ１７ｂがオンされることで第１共通端子１１ｄと第３選択端子１６ｂとが接続され、かつ第３スイッチ６５ｂがオフされるときに、ダイバーシティアンテナＡＮＴが受信した信号が第１のマルチプレクサ６０ａを介さずに第１信号経路２００に伝送される。また、スイッチ１９ａがオンされることで第１共通端子１１ｅと第４選択端子１８ａとが接続され、かつ第５スイッチ６６ａがオフされるときに、第２信号経路３００に伝送される信号が、第２のマルチプレクサ６０ｂを介さずにダイバーシティアンテナＡＮＴに送られる。また、スイッチ１９ｂがオンされることで第１共通端子１１ｆと第４選択端子１８ｂとが接続され、かつ第５スイッチ６６ｂがオフされるときに、第２信号経路３００に伝送される信号が、第２のマルチプレクサ６０ｂを介さずにダイバーシティアンテナＡＮＴに送られる。
【００７３】
例えば、スイッチ１３がオンされているときには、スイッチ１５、スイッチ１７ａ、スイッチ１７ｂ、スイッチ１９ａ及びスイッチ１９ｂはオフされる。スイッチ１７ａ及びスイッチ１７ｂの少なくとも一方がオンされているときには、スイッチ１３、スイッチ１５、スイッチ１９ａ及びスイッチ１９ｂはオフされる。スイッチ１５がオンされているときには、スイッチ１３、スイッチ１７ａ、スイッチ１７ｂ、スイッチ１９ａ及びスイッチ１９ｂはオフされる。スイッチ１９ａ及びスイッチ１９ｂの少なくとも一方がオンされているときには、スイッチ１３、スイッチ１５、スイッチ１７ａ及びスイッチ１７ｂはオフされる。なお、スイッチ１３、スイッチ１７ａ及びスイッチ１７ｂのいずれかがオンされているときに、スイッチ１５、スイッチ１９ａ及びスイッチ１９ｂのいずれかがオンされていてもよい。同様に、スイッチ１５、スイッチ１９ａ及びスイッチ１９ｂのいずれかがオンされているときに、スイッチ１３、スイッチ１７ａ及びスイッチ１７ｂのいずれかがオンされていてもよい。
【００７４】
例えば、スイッチ１７及びスイッチ１９は、ダイオード又は電界効果トランジスタ等を用いた半導体スイッチであり、第１スイッチ１０の外部（例えば後述するＲＦ信号処理回路１２０）からの制御信号によりオンオフされる。同様に、第３スイッチ６５及び第５スイッチ６６は、ダイオード又は電界効果トランジスタ等を用いた半導体スイッチであり、ダイバーシティスイッチ回路１ｄの外部（例えば後述するＲＦ信号処理回路１２０）からの制御信号によりオンオフされる。なお、第１共通端子１１ａ〜１１ｆは、それぞれを一体化した１つの端子であってもよい。この場合には、第１スイッチ１０は、スイッチ１３、スイッチ１５、スイッチ１７及びスイッチ１９の代わりに、一体化された１つの第１共通端子１１と第１選択端子１２、第２選択端子１４、第３選択端子１６及び第４選択端子１８との接続を切り替えるスイッチを有する。ただし、この場合でも、当該１つの第１共通端子１１と第１選択端子１２及び第３選択端子１６のいずれかとの接続、並びに、当該１つの第１共通端子１１と第２選択端子１４及び第４選択端子１８のいずれかとの接続が同時にされてもよい。
【００７５】
マルチプレクサ６０によってＣＡへの対応が可能になるが、信号がマルチプレクサ６０を通過する際には、マルチプレクサ６０を通過することによる損失が発生する。例えば、図４に示されるダイバーシティスイッチ回路１ｃでは、ダイバーシティアンテナＡＮＴが送受信する信号はマルチプレクサ６０を通過するため、ダイバーシティスイッチ回路１ｃが搭載される通信機器の使用用途又は使用状況等がＣＡへの対応が不要な場合であっても損失が発生してしまう。
【００７６】
これに対して、本実施の形態では、ダイバーシティアンテナＡＮＴが受信する受信信号は、第１共通端子１１と第３選択端子１６とが接続され、かつ第３スイッチ６５がオフされるときに、第１のマルチプレクサ６０ａを通過しないように第１バイパス経路を通過して第１信号経路２００に伝送される。また、ダイバーシティアンテナＡＮＴが送信する送信信号は、第１共通端子１１と第４選択端子１８とが接続され、かつ第５スイッチ６６がオフされるときに、第２のマルチプレクサ６０ｂを通過しないように第２バイパス経路を通過して第２信号経路３００に伝送される。これにより、第１共通端子１１と第３選択端子１６とが接続され、かつ第３スイッチ６５がオフされることで、ダイバーシティアンテナＡＮＴが受信する受信信号を、第１のマルチプレクサ６０ａを介さずに第１信号経路２００に伝送させることができ、ＣＡへの対応が不要な場合には、受信信号に発生する損失を抑制できる。また、第１共通端子１１と第４選択端子１８とが接続され、かつ第５スイッチ６６がオフされることで、第２信号経路３００に伝送される送信信号を、第２のマルチプレクサ６０ｂを介さずにダイバーシティアンテナＡＮＴに送ることができ、ＣＡへの対応が不要な場合には、送信信号に発生する損失を抑制できる。
【００７７】
（実施の形態６）
本発明のダイバーシティスイッチ回路は、高周波モジュール、さらには、通信装置に適用することができる。そこで、実施の形態６では、ダイバーシティスイッチ回路１を備える高周波モジュール１１０及び通信装置１３０について説明する。
【００７８】
図６は、実施の形態６に係る通信装置１３０の一例を示す構成図である。
【００７９】
通信装置１３０は、高周波モジュール１１０及びＲＦ信号処理回路（ＲＦＩＣ）１２０を備える。
【００８０】
高周波モジュール１１０は、ダイバーシティアンテナＡＮＴとＲＦ信号処理回路１２０との間でダイバーシティアンテナＡＮＴが送受信する受信信号及び送信信号を送受信する。高周波モジュール１１０は、ダイバーシティスイッチ回路１と、第２スイッチ２０が有する少なくとも２つの選択端子２２及び第４スイッチ３０が有する少なくとも２つの選択端子３２に接続される複数のフィルタ７０と、複数のフィルタ７０に接続されるアンプ回路８０とを備える。また、高周波モジュール１１０は、第６スイッチ９０を備え、アンプ回路８０は第６スイッチ９０を介してフィルタ７０に接続される。また、高周波モジュール１１０は、スイッチ９１を備え、第６スイッチ９０のＲＦ信号処理回路１２０側にスイッチ９１が接続されている。なお、ダイバーシティスイッチ回路１は、実施の形態１におけるものと同じであるため、説明は省略する。
【００８１】
本実施の形態では、高周波モジュール１１０は、ＬＮＡ８０ａ及びＰＡ８０ｂを備え、これらを総称してアンプ回路８０と呼んでいる。また、高周波モジュール１１０は、第６スイッチ９０ａ及び第６スイッチ９０ｂを備え、これらを総称して第６スイッチ９０と呼んでいる。また、高周波モジュール１１０は、スイッチ９１を備える。
【００８２】
複数のフィルタ７０は、弾性波共振子、ＬＣ回路、およびその両方等により構成されるフィルタである。弾性波共振子は、ＳＡＷ共振子やＢＡＷ共振子であってもよい。弾性波共振子は、ＳＡＷ共振子の場合、基板とＩＤＴ電極とを備えている。基板は、少なくとも表面に圧電性を有する基板である。例えば、表面に圧電薄膜を備え、当該圧電薄膜と音速の異なる膜、および支持基板などの積層体で構成されていてもよい。また、基板は、基板全体に圧電性を有していても良い。この場合、基板は、圧電体層一層からなる圧電基板である。
【００８３】
例えば複数のフィルタ７０は、バンドパスフィルタである。なお、複数のフィルタ７０は、バンドパスフィルタに限らず、ハイパスフィルタ、ローパスフィルタ、バンドエリミネーションフィルタ等であってもよい。複数のフィルタ７０は、それぞれ互いに異なる通過帯域を有するフィルタである。複数のフィルタ７０が選択端子２２に接続されることで、ダイバーシティスイッチ回路１は、互いに異なる周波数帯域を有する受信信号を受信できるようになる。複数のフィルタ７０は、例えば７００ＭＨｚ以上３．５ＧＨｚ以下の範囲においてそれぞれ互いに異なる通過帯域を有する。また、複数のフィルタ７０が選択端子３２に接続されることで、互いに異なる周波数帯域の複数の送信信号のうちから第４スイッチ３０によって選択された送信信号がダイバーシティアンテナＡＮＴから送信される。
【００８４】
第６スイッチ９０は、複数のフィルタ７０に接続された複数の選択端子とアンプ回路８０に接続された共通端子及びスイッチ９１に接続された共通端子とを有する。第６スイッチ９０は、例えばＲＦ信号処理回路１２０からの制御信号に応じて、当該共通端子と当該複数の選択端子のいずれかとを接続する。例えば、所望の周波数帯域に対応するフィルタ７０が接続された選択端子とアンプ回路８０に接続された共通端子又はスイッチ９１に接続された共通端子とを接続する。
【００８５】
ＬＮＡ８０ａは、受信信号を増幅し、ＲＦ信号処理回路１２０へ出力する受信増幅回路である。ＰＡ８０ｂは、送信信号を増幅し、第６スイッチ９０ｂへ出力する送信増幅回路である。
【００８６】
スイッチ９１は、受信信号を増幅する必要がない場合にオンされるスイッチである。この場合、第６スイッチ９０ａでは、フィルタ７０に接続される選択端子は、ＬＮＡ８０ａに接続される共通端子に接続されずスイッチ９１に接続される選択端子に接続される。
【００８７】
ＲＦ信号処理回路１２０は、ダイバーシティアンテナＡＮＴが送受信する受信信号及び送信信号を処理する回路である。ＲＦ信号処理回路１２０は、ダイバーシティアンテナＡＮＴから第１信号経路２００を介して入力された受信信号を、ダウンコンバートなどにより信号処理し、当該信号処理して生成された受信信号をベースバンド信号処理回路（図示せず）へ出力する。また、ＲＦ信号処理回路１２０は、ベースバンド信号処理回路から入力された送信信号をアップコンバートなどにより信号処理し、当該信号処理して生成された送信信号を、第２信号経路３００を介してダイバーシティアンテナＡＮＴへ出力する。
【００８８】
このように、本発明のダイバーシティスイッチ回路を高周波モジュール１１０及び通信装置１３０に適用してもよい。
【００８９】
（その他の実施の形態）
以上、実施の形態に係るダイバーシティスイッチ回路、高周波モジュール及び通信装置について説明したが、本発明は、上記実施の形態に限定されるものではない。
【００９０】
例えば、上記実施の形態では、ダイバーシティスイッチ回路は、第４スイッチ３０を備えたが、これに限らず、備えなくてもよい。
【００９１】
また、例えば、実施の形態２〜５では、終端抵抗４１は、第２スイッチ４０に内蔵されて選択端子２２に接続されたが、これに限らず、第２スイッチ４０の外部に設けられて選択端子２２に接続されてもよい。
【００９２】
また、例えば、実施の形態３〜５では、ダイバーシティスイッチ回路は、終端抵抗４１を含む第２スイッチ４０を備えたが、これに限らず、少なくとも２つの選択端子２２のうちの１つの選択端子２２に終端抵抗４１が接続されていない第２スイッチ２０を備えてもよい。
【００９３】
また、例えば、実施の形態３では、第１選択端子１２と第２共通端子２１との間、及び、第２選択端子１４と第３共通端子３１との間にそれぞれ整合回路５０が接続されたが、これに限らない。例えば、第１選択端子１２と第２共通端子２１との間、及び、第２選択端子１４と第３共通端子３１との間のいずれか一方にのみ整合回路５０が接続されてもよい。
【００９４】
また、例えば、実施の形態４及び５では、第１選択端子１２と第２共通端子２１との間、及び、第２選択端子１４と第３共通端子３１との間に整合回路５０が接続されなかったが、これに限らない。例えば、第１選択端子１２と第２共通端子２１との間、及び、第２選択端子１４と第３共通端子３１との間の少なくとも一方に整合回路５０が接続されてもよい。また、例えば、マルチプレクサ６０が、整合回路５０の機能を有していてもよい（マルチプレクサ６０と整合回路５０とが一体に設けられてもよい）。
【００９５】
また、例えば、実施の形態５では、第３選択端子１６と第２共通端子２１との間、及び、第４選択端子１８と第３共通端子３１との間に整合回路５０が接続されなかったが、これに限らない。例えば、第３選択端子１６と第２共通端子２１との間、及び、第４選択端子１８と第３共通端子３１との間の少なくとも一方に整合回路５０が接続されてもよい。
【００９６】
また、例えば、実施の形態４及び５では、ダイバーシティスイッチ回路は、２つの第２スイッチ４０及び２つの第４スイッチ３０を備えたが、これに限らず、３つ以上の第２スイッチ４０及び３つ以上の第４スイッチ３０を備えてもよい。
【００９７】
また、例えば、実施の形態６では、高周波モジュール１１０は、ダイバーシティスイッチ回路１を備えたが、これに限らず、ダイバーシティスイッチ回路１ａ〜１ｄを備えてもよい。
【００９８】
その他、実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【産業上の利用可能性】
【００９９】
本発明は、ダイバーシティアンテナを送受共用のアンテナとして用いることができるダイバーシティスイッチ回路、高周波モジュール及び通信装置として、携帯端末等の通信機器に広く利用できる。
【符号の説明】
【０１００】
１、１ａ〜１ｄ、４００  ダイバーシティスイッチ回路
１０、１００  第１スイッチ
１１、１１ａ〜１１ｆ  第１共通端子
１２  第１選択端子
１３、１５、１７、１７ａ、１７ｂ、１９、１９ａ、１９ｂ、２３、２３ａ〜２３ｎ、３３、３３ａ〜３３ｎ、９１、９１ａ、９１ｂ、４２３ａ〜４２３ｎ  スイッチ
１４  第２選択端子
１６、１６ａ、１６ｂ  第３選択端子
１８、１８ａ、１８ｂ  第４選択端子
２０、４０、４０ａ、４０ｂ  第２スイッチ
２１、２１ａ〜２１ｎ  第２共通端子
２２、２２ａ〜２２ｎ、３２、３２ａ〜３２ｎ  選択端子
３０、３０ａ、３０ｂ  第４スイッチ
３１、３１ａ〜３１ｎ  第３共通端子
４１  終端抵抗
５０、５０ａ、５０ｂ  整合回路
６０、６０ａ、６０ｂ  マルチプレクサ
６５、６５ａ、６５ｂ  第３スイッチ
６６、６６ａ、６６ｂ  第５スイッチ
７０  フィルタ
８０  アンプ回路
８０ａ  ＬＮＡ
８０ｂ  ＰＡ
９０、９０ａ、９０ｂ  第６スイッチ
１１０  高周波モジュール
１２０  ＲＦ信号処理回路
１３０  通信装置
２００  第１信号経路
３００  第２信号経路
４２０  スイッチ回路
【図１】
2018029328.tif 000003
【図２】
2018029328.tif 000004
【図３】
2018029328.tif 000005
【図４】
2018029328.tif 000006
【図５】
2018029328.tif 000007
【図６】
2018029328.tif 000008
【図７】
2018029328.tif 000009